(57)【要約】      （修正有）【課題】ケーブルの連結作業にかかる時間を短縮することができる電源プラグ２及びコンセントを提供する。【解決手段】複数本の栓刃４を有し、ケーブルと電気的に接続する接続部を有する電源プラグ２であって、接続部は栓刃４と各々電気的に接続されている接続ピン６が、ケーブルの複数本の被覆電線３８の、該被覆体端部と同一面にある導電線４０端部に各々差し込まれており、該接続ピン６を保持する絶縁性の把持部８と固定補助具１０、被覆電線内の導電線４０間に挿入する差込補助具と、防水ゴム６２、取付金具２６を備え、差込補助具は複数の仕切板１６と底板１８を備え、且つ該底板１８には接続ピン６が貫通する穴が仕切板１６間に形成され、該穴は、且つケーブルに差込補助器具を差し込んだ時の被覆電線３８内の端部と被覆電線３８を被覆する被覆体の延長線上に設ける。また、コンセントも同等とする。【選択図】  図２
2004335429.tif 000002
【特許請求の範囲】
【請求項１】
一方の側に複数本の栓刃を有し、他方の側にケーブルの端部と電気的に接合する接続部を有する電源プラグであって、前記ケーブルは複数本の被覆電線を有し、該被覆電線を被覆する被服体の端部は、前記被覆電線の導電線の端部と略同一面にあり、前記接続部は、前記ケーブルの各被覆電線の端部に差し込む複数本の接続ピンと、該複数本の接続ピンを連結保持する絶縁性の把持部と、固定補助具、該固定補助具に一つ又は複数個開口設けた前記ケーブルの被覆電線間に挿入する差込補助具と、前記接続ピンが差し込まれた前記ケーブルの端部に防水ゴムを取り付ける取付金具を備え、前記接続ピンは前記栓刃と各々電気的に接続されており、該接続ピンの各端部は尖っており、該接続ピンの各端部はそれぞれ前記把持部から突出し、該複数の接続ピンの各端部は所定間隔をおいて略平行に配置され、前記差込補助具は一つ又は複数の仕切板からなる仕切部材と該仕切部材の基端部に固定された底板とを備え、且つ該底板に固定された凸槽と該凸槽条と固定補助具の凹槽にロック付、該凸槽条を被覆電線を被覆する被覆体に取付器具を備え、該仕切板は放射条に略等角度で配置され、前記底板には前記接続ピンが貫通する穴が形成され、該底板の穴は前記仕切板間に一つずつ形成され、且つ前記ケーブルに前記差込補助具を差し込んだ時の前記被覆電線内の導電線の端部と被覆電線を被覆する被覆体の延長線上にあることを特徴とする電源プラグ。
【請求項２】
コンセントの基端部に前記電源プラグのケーブル端に、略半分備えたことを特徴とする請求項１に記載の電源プラグ。
【請求項３】
前記接続ピン、前記差込補助具の貫通穴、前記仕切板及び前記底板処の凸槽条と固定補助具の凹槽が、前記ケーブル内の被覆電線の旋回に対応した形状に形成されていることを特徴とする請求２記載の電源プラグ。
【請求項４】
前記ケーブルは、シールド線付を特徴とする請求３に記載の電源プラグ。
【請求項５】
前記差込補助具の前記仕切板に、一つ又は複数個ガードを設けたことを特徴とする請求項４に記載の電源プラグ。
【請求項６】
前記接続ピンと前記栓刃は前記把持部及び固定補助具と一体又は分離できることを特徴とする請求５に記載の電源プラグ。
【発明の詳細な説明】
【０００１】
【発明の属する技術分野】
本発明は、建築現場やコンピューターなどで使用することができる電源プラグ及びコンセントに関するものである。
【０００２】
【従来の技術】
建築現場やコンピューターなどで使用する電源プラグやコンセントは、ケーブルとの連結作業が必要である。この連結作業は、まず、ケーブルのシースを端部から所定量削り、シールド線とケーブル内の各被覆電線をむき出しにする。次に絶縁キャップを各被覆電線に挿入し、各被覆電線の絶縁体を端部から所定量削り、各導電線をむき出しにする。次に、導電線を圧着又は半田し、この圧着部分に絶縁キャップを被せた後、この圧着ピンを電源プラグ及びコンセントの各端子部分とを一体又は連結させていた。
【０００３】
【発明が解決しようとする課題】
しかし、このケーブルと電源プラグ及びコンセントの連結作業は、人手によって行われるため、大量生産ができない。また、通常のケーブルは複数の被覆電線を有しているため、一本のケーブルから導電線をむき出しにするまでにかなりの時間を有してしまうという問題がある。特にシールド線付。
【０００４】
例えば、１種又は２種と呼ばれるケーブルは、シース及び被覆電線の絶縁体を削るだけで済むため比較的作業しやすいが、それでも時間がかかってしまう。更に、シールド付と呼ばれるケーブルはシースとシールド線や絶縁体を削る作業が非常に時間がかかってしまうという問題がある。
【０００５】
また、むき出しになったシールド線と導電線が他の導電線とショートしてしまう危険性があるため、導電線が完全に端子部分と連結するよう注意しながら連結作業を行う必要があり、連結作業には大変な時間がかかってしまう。
【０００６】
また、ケーブルのシース及び絶縁体を削るため、作業現場にはその残骸が発生し、作業現場が汚れてしまう。また、介在物を設けているケーブルを削ると、シース及び絶縁体の他に介在物の残骸が発生する。また、被覆電線内の導電線を薄紙で束ねたケーブルは、紙のごみが発生してしまう。これらの細かい残骸等は、配線や回路などに入り込んでしまうと、ショート等の思いがけない事故を引き起こしてしまう心配もあるため、常に発生する残骸を除去して作業現場を清潔に保たなければならなかった。
【０００７】
また、従来の連結作業は、ケーブルのシースとシールド線と絶縁体を付けたり外したりすると、絶縁体が壊れてしまう。また、ケーブルと電源プラグ及びコンセントの連結をするためには、例えば、圧着端子、絶縁端子キャップ、圧着器、半田、半田工具、絶縁チューブ、ドライバー、絶縁テープなどの種々の工具を揃える必要があるため、非常に大変である。
【０００８】
以上の様に、従来の電源プラグ及びコンセントでは種々の問題があり、特に電源プラグ及びコンセントとケーブルとの連結作業にかかる作業時間を短縮することができ、また、作業現場の清潔の確保ができる電源プラグ及びコンセントの開発が切望されていた。
【０００９】
【課題を解決するための手段】
上記課題を解決するために本発明に係る電源プラグは、一方の側に複数本の栓刃を有し、他方の側にケーブルの端部と電気的に接続する接続部を有する電源プラグであって、ケーブルは複数本の被覆電線を有し、被覆電線を被覆する被覆体の端部は、被覆電線の導電線の端部と略同一面にあり、接続部は、ケーブルの各被覆電線の端部に差し込む複数本の接続ピンと、複数本の接続ピンを連結保持する絶縁性の把持部と固定補助具、該固定補助具一つ又は複数開口を設けたと、ケーブルの被覆電線間に挿入する差込補助具と、接続ピンが差し込まれたケーブルの端部の固定補助具の開口処に防水ゴムを取り付ける取付金具を備え、接続ピンは栓刃と各々電気的に接続されており、接続ピンの各端部は尖っており、接続ピンの各端部はそれぞれ把持部から突出し、複数の接続ピンの各端部は所定間隔をおいて略平行に配置され、差込補助具は一つ又は複数の仕切板からなる仕切部材と仕切部材の基盤部に固定された底板とを備え、且つ該底板に固定された凸槽と該凸槽条と固定補助具の凹槽にロック付、該凸槽条を被覆電線を被覆する被覆体に取付器具を備え、仕切板は放射状に略等角度で配置され、底板には接続ピンが貫通する穴が形成され、底板の穴は仕切板間に一つずつ形成され、且つケーブルに差込補助具を差し込んだ時の被覆電線内の導電線の端部と被覆電線を被覆する被覆体の延長線上にあることを特徴とする。
【００１０】
また、コンセントの基端部に前記電源プラグのケーブル端に略半分備えたことを特徴とする。
【００１１】
また、前記接続ピン、前記差込補助具の貫通穴、前記仕切板及び前記底板の凸槽条と固定補助具の凹槽が、前記ケーブル内の被覆電線の旋回に対応した形状に形成されていることを特徴とする。
【００１２】
また、ケーブルはシールド線付のことを特徴とする。
【００１３】
また、差込補助具の仕切板に一つ又は複数個ガードを設けたことを特徴とする。
【００１４】
また、前記接続ピンと前記栓刃は前記把持部及び固定補助具と一体又は分離できることを特徴とする。
【００１５】
【発明の実施の形態】
本発明に係る電源プラグ２及びコンセント３０の説明をする前に、本発明に係る電源プラグ２及びコンセント３０が使用することのできるケーブル３４について、簡単な説明をする。このケーブル３４は、主に日本電線工業会規格（ＪＣＳ）に定められている細線構成のキャプタイヤケーブル３４（具体的にはＶＣＴ、ソフトＶＣＴ、１ＣＴ、２ＣＴ、３ＣＴ、２ＲＮＣＴ、２ＰＮＣＴ、３ＮＰＣＴ、ＢＯ−ＶＣＴ、ＫＴＯ−ＶＣＴ、２ＰＮＣＴ−ＳＢ、ＳＯＲ−ＶＣＴ−ＳＢ、ＳＯＲ−ＶＣＴＦ−ＳＢ、ＭＶＶ−Ｓ、ロボット線  等）を使用することができる。また、これ以外にも、本発明に係る電源プラグ２及びコンセント３０に適しているケーブル３４であれば使用することができる。
【００１６】
次に、本発明に係る電源プラグ２及びコンセント３０について図を参照にしながら説明する。図１は、本発明に係る電源プラグ２を示した斜視図である。また、図２は、本発明に係る電源プラグ２のＡ−Ａ線部分断面図である。なお、これらの図は本発明を限定するものではない。
【００１７】
本発明に係る電源プラグ２は、少なくとも栓刃４と接続部からなり、接続部は、接続ピン６と、把持部８と固定補助具１０と差込補助具１４と取付金具２６とからなることを特徴とする。また、電源プラグ２と接続するケーブル３４は、被覆電線３８を被覆する被覆体の端部が、被覆電線３８の導電線４０の端部と略同一面にあることを特徴とする。
【００１８】
本発明に係る電源プラグ２の栓刃４は、図に示されている様な板状のものでも良い。また、これに限らず扁状や角柱状や引掛状といった様に、種々の条件を考慮して適宜設定すれば良い。また、この栓刃４の先端部分は、図に示されているように面取りされていても良い。
【００１９】
また、この栓刃４のもう一方の端部は接続ピン６が形成されている。接続ピン６については、後ほど詳細に説明する。この栓刃４と接続ピン６は一体形成されていても良いし、分離できていても良い。分離できる場合は、栓刃４の端部に連結のための突起を形成しても良いし、連結部材などを設けるなどしても良い。
【００２０】
また、栓刃４を形成している銅合金は、一般的に使用されている電源プラグ２の栓刃４に使用されている銅合金を使用することができる。また、これ以外にも種々の条件を考慮して適宜設定すれば良い。
【００２１】
次に、本発明に係る接続ピン６は、図に示されているような円柱状をしている。これに限らず、角柱状などでも良く、適宜設定すれば良い。この接続ピン６の先端は尖った形状をしていても良い。また、この接続ピン６の先端には、複数の溝が形成されていても良い。また、図に示す様な棒状ではなく、二股や三股といった様に複数に分岐していても良い。
【００２２】
また、この接続ピン６は上記した様に栓刃４と一体形成されている。また、各々電気的に接続されていれば、分離できても良い。栓刃４と接続ピン６が分離できる場合は、接続ピン６の端部に突起を設けて、前記した栓刃４の突起と連結しても良いし、連結部材を用いて連結しても良い。また、この栓刃４及び接続ピン６は、図１に示されている様に４本だけでなく、条件に応じて適宜本数を設定すれば良い。
【００２３】
また、この接続ピン６は、後述する差込補助具１４の底板１８に形成された貫通穴２２の位置と同位置に配置され、各々が平行に配置されていることを特徴とする。
【００２４】
また、この接続ピン６は、固定補助具１０の下端部より突出しない程度の長さにすると、搬送中などにぶつけて接続ピン６が屈折する心配がなくなる。
【００２５】
次に、本発明に係る把持部８の形状は、円柱状でも角柱状でも良い。また、この把持部８は絶縁材料で形成され、上記した栓刃４及び接続ピン６を連結保持できるように被覆していることを特徴とする。絶縁材料については特に限定せず種々の条件を考慮して適宜設定すれば良い。また、把持部８外周を亜鉛合金又は黄銅やゴムなどで被覆してもよい。
【００２６】
次に、図４は本発明に係る差込補助具１４を示した説明図である。本発明に係る差込補助具１４は、一つ又は複数の仕切板１６からなる仕切部材と仕切部材の基端部に固定された底板１８と底板１８両端凸槽条２４と凸槽条の延長線上のロック付４４と、その延長線上のしめ部４６とからなる。この差込補助具１４の材料は、種々の条件を考慮して適宜設定すれば良い。
【００２７】
この差込補助具１４は図４に示すように、中心部から放射状に伸びた仕切板１６が略等角度円形に配置されている。この仕切板１６は中心部で固定され、その中心部の両端凸槽条２４延長方向と仕切板１６同一方向である中心部の先端はケーブル３４に差込やすいように隆起していても良い。この仕切板１６の長さは、図２で示されている様に、ケーブル３４に差し込んだ接続ピン６の先端部分が仕切板１６より突出しない程度の長さが良い。
【００２８】
また、この仕切板１６には図４の形でも良い。電線種類によって形状が変わる。また、仕切板１６又は底板１８にはガード２０が設けられている。このガード２０は、仕切板１６又は底板１８のどの位置に設定されていても良い。方向、数量、長度、形状など電線種類によって違う。このガード２０はテープとシールド線６６収納口５２とシールド線６６とシース３６分離部５４とシールド線と接続ピン挿入口組成される。この仕切板１６に固定された被覆電線３８を確実に固定できるだけでなく、隣り合う被覆電線３８とシールド線６６を確実に分離できる。また、仕切板１６と底板１８とガード片２０を設置すれば、他の導電線４０同士の接触を完全に防ぐことができる。
【００２９】
また、この仕切板１６と底板１８に膨張隙間６８設けられている。また、この仕切板１６図４のように多周巻されているケーブルの被覆電線の配置に応じて適宜設定すれば良い。且つ内外周の被覆電線の旋回に対応すれば良い。
【００３０】
また、差込補助具１４の底板１８には接続ピン６が貫通できる貫通穴２２が形成される。この貫通穴２２は図４に示されているように、各仕切板１６とガード２０間に一つずつ形成されており、ケーブル３４に差込補助具を差し込んだ時の被覆電線３８の端部の延長線上に形成されている。また、この底板１８には凸槽条２４が形成されていても良い。この凸槽条２４の上にロック部４４と固定補助具１０被ロック４８形成され、また、この凸槽条２４を差し込んだ時の電線３４の端部の延長線上に形成されている。且つそのしめ部４６を電線３４にしめる特徴である。
【００３１】
この差込補助具１４をケーブル３４に差し込むと、各被覆電線３８は仕切板１６によって分離される。更に差込補助具１４を差し込むと、各被覆電線３８は仕切板１６によって固定され、各被覆電線３８の端部が底板１８に到達する。この時、しめ部４６を電線３４にしめて被覆電線３８の端部は底板１８に形成された貫通穴２２と同位置で固定されている、且つ、しめ部４６を電線３４にしめることによって、凸槽２４の位置に固定されている。この補助具１４の凸槽条部２４と固定補助具１０凹槽部５０をあわせて差し込むと、底板１８の貫通穴２２に接続ピン６を通すと、自動的に各被覆電線３８に接続ピン６を差し込むことができる。且つ、奥まで差し込むと凸槽条上のロック部４４と固定補助具１０被ロック部４８自動ロックできる。
【００３２】
また、一般的なケーブル３４は被覆電線３８が緩やかな旋回をしながら収納されている。この状態のまま差込補助具１４を用いずに直接接続ピン６を差し込むと、接続ピン６が被覆電線３８を貫通してしまう恐れがある。しかし、差込補助具１４が各被覆電線３８を真っ直ぐに固定するため、接続ピン６を被覆電線３８に差し込んでも貫通する心配がない。また、万が一被覆電線３８を貫通してしまっても、仕切板１６によって各被覆電線３８は分離されており、接続ピン６か仕切板１６間に収まるため、ケーブル３４内でショートする心配はない。
【００３３】
また、本発明に係る接続ピン６及び差込補助具１４の貫通穴２２、仕切板１６凸槽条２４凹槽５０をケーブル３４内の被覆電線３８と同様に旋回させて形成しても良い。これにより、本発明に係る接続ピン６及び差込補助具１４を被覆電線３８内に挿入しやすくなるだけでなく、簡単に外れなくなるという利点もある。
【００３４】
また、接続ピン６の差し込み部分は固定補助具内である。且つ、固定補助具１０開口処にケーブル３４に取付金具２６を用いてケーブル３４外周を締め付けた場合や、他の外圧が加わったとしても、接続ピン６は差込補助具１４の仕切板１６間に収まっているため、圧力は仕切板１６に伝わり、接続ピン６の変形を防止することができる。また、取付金具２６を用いてケーブル３４外周を締め付けると固定補助具上の斜口５８にあたって、取付金具２６上のおし板６０を防水ゴムを押しながら固定補助具１０と防水ゴム６２とケーブル３４が密着する。且つ防水になる。
【００３５】
次に、本発明に係る取付金具２６は、接続ピン６が差し込まれたケーブル３４の端部外周を締め付ける。この取付金具２６は、図３の形状で一部固定補助具１０の上に、一部ケーブル３４の上に取り付けても良い。また、ケーブル３４に差し込んだ接続ピン６が容易に抜けない程度に締め付けることができるものであればどのような形状のものを使用しても良い。また、取付金具のかわりに圧縮にも良い。
【００３６】
この取付金具２６又は圧縮を使用することで、ケーブル３４と電源プラグ２を強固に連結するだけでなく、ケーブル３４の外周から圧力をかけるため、ケーブル３４内で接続ピン６と導電線４０とシールド線６６の接触が良好になる。
【００３７】
本発明に係る電源プラグ２は、上記された部品が一体的に形成されていても良く、分離可能であってもどちらでも良い。例えば、図３にしめされた様に種々の部品を組み立て電源プラグ２とすることも可能である。なお、この図は本発明を限定するものではない。
【００３８】
この分離組み立て可能な電源プラグ２は、栓刃４と接続ピン６と把持部８と固定補助具１０と差込補助具１４と防水ゴム６２とケーブル３４補助具と取付金具２６とからなることを特徴とする。また、これ以外にも他の部品を使用しても良い。
【００３９】
栓刃４と接続ピン６は前述したように一体形成されていても良く、分離可能でも良い。栓刃４と接続ピン６が分離可能で、連結する場合は、図に示すように連結部分に絶縁チューブなどを設けるとショートや漏電といった心配もなくなる。
【００４０】
また、この把持部８には栓刃４が貫通する穴以外に、固定補助具１０と連結するためのねじ穴を形成しても良い。
【００４１】
また、この固定補助具１０には、接続ピン６が貫通する穴と把持部８と連結するためのねじ穴が形成されていても良い。また、亜鉛合金又は黄銅で設けられても良い。
【００４２】
この固定補助具１０の一方の面側には、図２に示されているとおり、差込補助具１４用の深底受皿１２ａが設けられている。この深底受皿１２ａには差込補助具１４の凸槽条２４と嵌合するための凹槽５０が形成されていても良い。この凸槽条２４上のロック部４４と固定補助具上の被ロック部４８を設けることによって、差込補助具１４と固定補助具１０を自動ロックすることができる。また、差込補助具１４のしめ部４６を設けることによって差込補助具１４とケーブル３４を固定させ、且つ固定補助具に差し込むとつれることがなくなる。
【００４３】
この固定補助具１０のもう一方の面側には、浅底受皿１２ｂが設けられている。この浅底受皿１２ｂは、把持部８と固定補助具１０を連結したときに、接続ピン６と栓刃４の連結部が浅底受皿１２ｂに収まるため、栓刃４を固定することができる。
【００４４】
以上が本発明に係る電源プラグ２の概要であるが、本発明の趣旨と逸脱しない限りは、上記した種々の条件などは変更が可能である。
【００４５】
次に、本発明に係るコンセント３０について図を参照にしながら説明する。図５は、本発明に係るコンセント３０を示した斜視図である。また、図６は、本発明に係るコンセント３０の部分断面図である。これらの図は本発明を限定するものではない。
【００４６】
本発明に係るコンセント３０は、少なくとも栓刃受金具３２と接続部とからなり、接続部は接続ピン６と、把持部８と、固定補助具１０と、防水ゴム６２と、差込補助具１４と、取付金具２６とからなる。また、コンセント３０と接続するケーブル３４は、被覆電線３８を被覆する被覆体の端部が、被覆電線３８の導電線４０の端部と略同一面にあることを特徴とする。
【００４７】
本発明に係る栓刃受金具３２は、図に示されている様な形状以外だけでなく、どのような形状でも良く、使用する栓刃４に応じて適宜設定すれば良い。また、この栓刃受金具３２のもう一方の端部は接続ピン６が形成されている。接続ピン６については、前述したものと同等であるため省略する。この栓刃受金具３２と接続ピン６は一体形成されていても良いし、分離できても良い。分離できる場合は、栓刃受金具３２の端部に連結のための突起を形成しても良いし、連結部材などを設けるなどしても良い。
【００４８】
また、栓刃受金具３２を形成している金属は、一般的に使用されているコンセント３０の栓刃受金具３２に使用されている金属を使用することができる。また、これ以外にも種々の条件を考慮して適宜設定すれば良い。
【００４９】
栓刃受金具３２以外の部品については、前記した電源プラグ２のものと同等であるため省略する。
【００５０】
また、本発明に係るコンセント３０は、一体形成されていても良く、分離可能であっても良い。図７は、本発明に係るコンセント３０の一実施例を示した説明図である。この図は本発明を限定するものではない。
【００５１】
この分離組み立て可能なコンセント３０は、栓刃受金具３２と接続ピン６と把持部８と固定補助具１０と差込補助具１４とケーブル３４補助具と取付金具２６とかならることを特徴とする。また、これ以外にも他の部品を使用しても良い。
【００５２】
この分離組み立て可能なコンセント３０においても栓刃受金具３２以外の部品は前記した組み立て可能な電源プラグ２と同等であるため省略する。
【００５３】
以上が本発明に係るコンセント３０の概略であるが、電源プラグ２と同様、本発明の趣旨と逸脱しない限りは、上記した種々の条件などは変更が可能である。
【００５４】
次に、本発明に係る電源プラグ２又はコンセント３０とケーブル３４との連結作業の概要について簡単に説明する。まず、連結しようとするケーブル３４の端部をケーブル３４側面と直角に切断し、この端部に差込補助具のしめ部４６を通ると差し込みするこの差込補助具１４の底板１８がケーブル３４の端部に到達するまで差し込むとしめ部４６をしめる。次に、凸槽条２４と凹槽５０をあわせて接続ピン６を底板１８の貫通穴２２に通して、接続ピン６と底板１８に対して直角に差し込むと、自動的に接続ピン６が各被覆電線３８に差し込まれていく。端部に到達するとロック部４４と被ロック部４８を自動ロックする。接続ピンを差し込んだ後、取付金具２６を装着するだけで、電源プラグ２又はコンセント３０とケーブル３４とを連結することができる。
【００５５】
また、分離組み立て可能な電源プラグ２又はコンセント３０でケーブル３４と連結する場合は、まず、防水ゴム６２固定補助具１０にいれる。固定補助具１０の浅底受皿１２ａ側から接続ピン６を穴に通す。次に防水ゴム６２と把持部８の穴に栓刃４又は栓刃受金具３２を通し、電源プラグの方のしめリング７０も通し、固定補助具１０と把持部をねじで連結させる。次に、電源プラグ２又はコンセント３０の組み立てが完了する。その後は上記した使用方法と同様にしてケーブル３４と連結する。
【００５６】
なお、中間接続具、分支、端末などの基端部に前記電源プラグのケーブル端に、略半分備えたことを特徴とする請求項６に記載の電源プラグ。
【００５７】
【発明の効果】
本発明に係る電源プラグ及びコンセントは、ケーブルの被覆電線に接続ピンを差し込んで連結するため、従来の様にケーブルのシース及び被覆電線の絶縁体を削り取る必要がなくなり、作業時間を大幅に短縮することができる。
【００５８】
また、ケーブルのシース及び被覆電線の絶縁体を削り取る必要がないため、削り取った際の残骸が発生せず、作業現場を清潔に保つことができる。
【００５９】
また、本発明に係る電源プラグ及びコンセントは、ケーブルと連結に仕切板を備えた差込補助具を使用するため、接続ピンを底板に形成された貫通穴に差し込むだけで、電源プラグ及びコンセントとの連結ができる。
【００６０】
また、この差込補助具は、ケーブル内の各被覆電線を仕切板間に別々に分離して固定することができるため、ケーブル切断面の導電線が他の導電線に接触する心配がなく、よってショートする心配がなくなり、安全性を保つことができる。
【００６１】
また、本発明に係る差込補助具は、仕切板にガード片が設けられているため、特にシールド線と他の導電線同士が接触しやすいケーブル切断面付近の被覆電線を完全に分離して固定することができるため、更にショートの心配がなくなり、安全性を保つことができる。
【００６２】
また、本発明に係る電源プラグ及びコンセントは、各被覆電線及び接続ピンが各仕切板間に収納されて固定されているため、取付金具で締め付けても仕切板によって圧力が接続ピンにかからず、よって接続ピンの変形を防ぐことができる。
【図面の簡単な説明】
【図１】本発明に係る電源プラグの斜視図である。
【図２】本発明に係る電源プラグの部分断面図である。
【図３】本発明に係る電源プラグの一実施例を示した説明図である。
【図４】本発明に係る差込補助具を示した説明図である。
【図５】本発明に係るコンセントの斜視図である。
【図６】本発明に係るコンセントの部分断面図である。
【図７】本発明に係るコンセントの一実施例を示した説明図である。
【符号の説明】
２        電源プラグ
４        栓刃
６        接続ピン
８        把持部
１０      固定補助具
１２ａ    深底受皿
１２ｂ    浅底受皿
１４      差込補助具
１６      仕切板
１８      底板
２０      ガード片
２２      貫通穴
２４      凸槽条
２６      取付金具
２８      しめねじ
３０      コンセント
３２      栓刃受金具
３４      ケーブル
３６      シース
３８      被覆電線
４０      導電線
４２      絶縁チューブ
４４      補助具のロック部
４６      補助具のしめ部
４８      固定補助具のロック部
５０      凹槽部
５２      テープとシールド線収納口
５４      シールド線とシース分離部
５６      しめリング槽
５８      斜口
６０      おし板
６２      防水ゴム
６４      テープ
６６      シールド線
６８      膨張隙間
７０      しめリング
７２      多周ケーブル
【図１】
2004335429.tif 000003
【図２】
2004335429.tif 000004
【図３】
2004335429.tif 000005
【図４】
2004335429.tif 000006
【図５】
2004335429.tif 000007
【図６】
2004335429.tif 000008
【図７】
2004335429.tif 000009